(57)【要約】      （修正有）【課題】複数の物品を側方から十分に保護しつつ、これらの物品を行列状に配列可能な組仕切りを提供する。【解決手段】組仕切りは、下縁から上方に延びる複数の第１スリット１２が形成された第１長辺仕切板２と、複数の第１スリットに対向する位置に第２スリット１３が形成された第２長辺仕切板３と、上縁から下方に延び、第１長辺仕切板及び第２長辺仕切板の左右方向一方の最外側に位置する第１スリット及び第２スリットに咬合する一対の第３スリット１４ａが形成され、第１長辺仕切板及び第２長辺仕切板と組み合わされる第１外側短辺仕切板４と、第１外側短辺仕切板の下縁に連接され、左右方向に配設される底板７とを備え、底板に、第１長辺仕切板、第２長辺仕切板及び中央短辺仕切板６の少なくとも１つと係合可能に構成され、底板に対して第１長辺仕切板、第２長辺仕切板及び中央短辺仕切板の平面位置を固定可能な折り曲げ片１７が形成される。【選択図】図２
0003220014.tif 000002
【実用新案登録請求の範囲】
【請求項１】
段ボールシートから形成され、組立状態で箱体内に配置され、この箱体の内部空間を区分する組仕切りであって、
下縁から上方に延びる複数の第１スリットが形成された第１長辺仕切板と、
上記第１長辺仕切板と間隔を空けて対向配置され、上記複数の第１スリットに対向する位置に、下縁から上方に延びる複数の第２スリットが形成された第２長辺仕切板と、
上縁から下方に延び、上記第１長辺仕切板及び第２長辺仕切板の左右方向一方の最外側に位置する第１スリット及び第２スリットに咬合する一対の第３スリットが形成され、上記第１長辺仕切板及び第２長辺仕切板と組み合わされる第１外側短辺仕切板と、
上縁から下方に延び、上記第１長辺仕切板及び第２長辺仕切板の左右方向他方の最外側に位置する第１スリット及び第２スリットに咬合する一対の第４スリットが形成され、上記第１長辺仕切板及び第２長辺仕切板と組み合わされる第２外側短辺仕切板と、
上縁から下方に延び、上記最外側に位置する第１スリット及び第２スリット以外の対向配置される上記第１スリット及び第２スリットに咬合する一対の第５スリットが形成され、上記第１長辺仕切板及び第２長辺仕切板と組み合わされる１又は複数の中央短辺仕切板と、
上記第１外側短辺仕切板の下縁に連接され、上記箱体の底壁上で左右方向に配設される底板と
を備え、
上記底板に、上記第１長辺仕切板、第２長辺仕切板及び中央短辺仕切板の少なくとも１つと係合可能に構成され、上記底板に対して第１長辺仕切板、第２長辺仕切板及び中央短辺仕切板の平面位置を固定可能な折り曲げ片が形成される組仕切り。
【請求項２】
上記底板が上記第２外側短辺仕切板の下縁にも連接されている請求項１に記載の組仕切り。
【請求項３】
上記底板が、上記第１外側短辺仕切板及び第２外側短辺仕切板と連接される一対の側縁間の中心位置に、上記一対の側縁と平行な第１折り曲げ容易線を有し、
上記第１長辺仕切板及び第２長辺仕切板が、平面視で上記第１折り曲げ容易線と重なり合う位置に上下方向に横断する第２折り曲げ容易線を有する請求項２に記載の組仕切り。
【請求項４】
上記折り曲げ片が、上記第１長辺仕切板及び第２長辺仕切板の対向面に当接する一対の側縁を有する請求項１、請求項２又は請求項３に記載の組仕切り。
【請求項５】
上記中央短辺仕切板の下縁に、上記第５スリットの下方に上端部が位置する切欠きが形成され、
上記折り曲げ片が、直立状態で上記切欠きの上端部に係合する請求項１、請求項２又は請求項３に記載の組仕切り。
【考案の詳細な説明】
【技術分野】
【０００１】
本考案は、組仕切りに関する。
【背景技術】
【０００２】
段ボール箱に複数の物品を収容する場合、物品同士が直接接触しないよう、物品間に段ボールシートから形成される仕切板を挿入することがある。また、段ボール箱内を行列状に区画すべく、２枚以上の仕切板に互いを咬合させるスリットを設け、これらの仕切板を平面視十字状、井桁状、格子状等に組み合わせた組仕切りも広く用いられている（実用新案登録第３１６９４４４号公報参照）。
【先行技術文献】
【特許文献】
【０００３】
【特許文献１】実用新案登録第３１６９４４４号公報
【考案の概要】
【考案が解決しようとする課題】
【０００４】
しかしながら、上記公報に記載されているような組仕切りは、複数の仕切板が咬合して組み合わされたものであるため、左右方向に負荷が加えられると容易に歪みを生じる。そのため、上記組仕切りによっては内容物を適切に保護することができない場合がある。
【０００５】
本考案は、このような不都合に鑑みてなされたものであり、複数の物品を側方から十分に保護しつつ、これらの物品を行列状に配列可能な組仕切りを提供することを課題とする。
【課題を解決するための手段】
【０００６】
上記課題を解決するためになされた本考案に係る組仕切りは、段ボールシートから形成され、組立状態で箱体内に配置され、この箱体の内部空間を区分する組仕切りであって、下縁から上方に延びる複数の第１スリットが形成された第１長辺仕切板と、上記第１長辺仕切板と間隔を空けて対向配置され、上記複数の第１スリットに対向する位置に、下縁から上方に延びる複数の第２スリットが形成された第２長辺仕切板と、上縁から下方に延び、上記第１長辺仕切板及び第２長辺仕切板の左右方向一方の最外側に位置する第１スリット及び第２スリットに咬合する一対の第３スリットが形成され、上記第１長辺仕切板及び第２長辺仕切板と組み合わされる第１外側短辺仕切板と、上縁から下方に延び、上記第１長辺仕切板及び第２長辺仕切板の左右方向他方の最外側に位置する第１スリット及び第２スリットに咬合する一対の第４スリットが形成され、上記第１長辺仕切板及び第２長辺仕切板と組み合わされる第２外側短辺仕切板と、上縁から下方に延び、上記最外側に位置する第１スリット及び第２スリット以外の対向配置される上記第１スリット及び第２スリットに咬合する一対の第５スリットが形成され、上記第１長辺仕切板及び第２長辺仕切板と組み合わされる１又は複数の中央短辺仕切板と、上記第１外側短辺仕切板の下縁に連接され、上記箱体の底壁上で左右方向に配設される底板とを備え、上記底板に、上記第１長辺仕切板、第２長辺仕切板及び中央短辺仕切板の少なくとも１つと係合可能に構成され、上記底板に対して第１長辺仕切板、第２長辺仕切板及び中央短辺仕切板の平面位置を固定可能な折り曲げ片が形成される。
【０００７】
当該組仕切りは、第１外側短辺仕切板の下縁に連接され、箱体の底壁上で左右方向に配設される底板を備えており、この底板に設けられる折り曲げ片を第１長辺仕切板、第２長辺仕切板及び中央仕切板の少なくとも１つに係合させることで、底板に対して第１長辺仕切板、第２長辺仕切板及び中央短辺仕切板の平面位置を固定することができる。そのため、当該組仕切りは、左右方向に負荷が加えられた場合でも、仕切板の全体形状が変形し難い。従って、当該組仕切りは、複数の物品を側方から十分に保護しつつ、これらの物品を行列状に配列することができる。
【０００８】
上記底板が上記第２外側短辺仕切板の下縁にも連接されているとよい。このように、上記底板が上記第２外側短辺仕切板の下縁にも連接されていることによって、上記底板自体の左右方向の歪み、ねじれ等を容易に抑制し、複数の物品をより適切に行列状に配列することができる。
【０００９】
上記底板が、上記第１外側短辺仕切板及び第２外側短辺仕切板と連接される一対の側縁間の中心位置に、上記一対の側縁と平行な第１折り曲げ容易線を有し、上記第１長辺仕切板及び第２長辺仕切板が、平面視で上記第１折り曲げ容易線と重なり合う位置に上下方向に横断する第２折り曲げ容易線を有するとよい。このように、上記底板が、上記第１外側短辺仕切板及び第２外側短辺仕切板と連接される一対の側縁間の中心位置に、上記一対の側縁と平行な第１折り曲げ容易線を有し、上記第１長辺仕切板及び第２長辺仕切板が、平面視で上記第１折り曲げ容易線と重なり合う位置に上下方向に横断する第２折り曲げ容易線を有することによって、上記第１折り曲げ容易線及び第２折り曲げ容易線の折り曲げによって当該組仕切りを平板状に容易に折り畳むことができ、当該組仕切りの取扱性を高めることができる。
【００１０】
上記折り曲げ片が、上記第１長辺仕切板及び第２長辺仕切板の対向面に当接する一対の側縁を有するとよい。このように、上記折り曲げ片が、上記第１長辺仕切板及び第２長辺仕切板の対向面に当接する一対の側縁を有することによって、底板に対して第１長辺仕切板、第２長辺仕切板及び中央短辺仕切板の平面位置を容易に固定することができる。
【００１１】
上記中央短辺仕切板の下縁に、上記第５スリットの下方に上端部が位置する切欠きが形成され、上記折り曲げ片が、直立状態で上記切欠きの上端部に係合するとよい。このように、上記中央短辺仕切板の下縁に、上記第５スリットの下方に上端部が位置する切欠きが形成され、上記折り曲げ片が、直立状態で上記切欠きの上端部に係合することによっても、底板に対して第１長辺仕切板、第２長辺仕切板及び中央短辺仕切板の平面位置を容易に固定することができる。
【００１２】
なお、本考案において、「下」とは、組仕切りが箱体内に収容された状態における下を意味し、「上」とはその反対を意味する。また、「左右方向」とは、組仕切りが箱体内に収容された状態における水平方向を意味する。
【考案の効果】
【００１３】
以上説明したように、本考案に係る組仕切りは、複数の物品を側方から十分に保護しつつ、これらの物品を行列状に配列することができる。
【図面の簡単な説明】
【００１４】
【図１】本考案の一実施形態に係る組仕切りの分解状態を示す模式的平面図（展開図）である。
【図２】図１の組仕切りの組立状態を示す模式的斜視図である。
【図３】箱体に図２の組仕切りを収容した状態を示す模式的平面図である。
【図４】図２の組仕切りの模式的分解斜視図である。
【図５】図１の組仕切りとは異なる実施形態に係る組仕切りの分解状態を示す模式的平面図（展開図）である。
【図６】図５の組仕切りの組立状態を示す模式的斜視図である。
【図７】図６の組仕切りの模式的Ａ−Ａ線断面図である。
【図８】図６の組仕切りの模式的分解斜視図である。
【考案を実施するための形態】
【００１５】
以下、適宜図面を参照しつつ、本考案の実施の形態を詳説する。
【００１６】
［第一実施形態］
＜組仕切り＞
図１の組仕切り１は段ボールシートから形成される。当該組仕切り１は、図２に示す組立状態で箱体内に配置され、この箱体の内部空間を区分する（なお、以下では組立状態の当該組仕切りを「仕切体」ともいう）。
【００１７】
当該組仕切り１は、下縁から上方に延びる複数の第１スリット１２が形成された第１長辺仕切板２と、第１長辺仕切板２と間隔を空けて対向配置され、複数の第１スリット１２に対向する位置に、下縁から上方に延びる複数の第２スリット１３が形成された第２長辺仕切板３と、上縁から下方に延び、第１長辺仕切板２及び第２長辺仕切板３の左右方向一方の最外側に位置する第１スリット１２及び第２スリット１３に咬合する一対の第３スリット１４ａが形成され、第１長辺仕切板２及び第２長辺仕切板３と組み合わされる第１外側短辺仕切板４と、上縁から下方に延び、第１長辺仕切板２及び第２長辺仕切板３の左右方向他方の最外側に位置する第１スリット１２及び第２スリット１３に咬合する一対の第４スリット５ａが形成され、第１長辺仕切板２及び第２長辺仕切板３と組み合わされる第２外側短辺仕切板５と、上縁から下方に延び、最外側に位置する第１スリット１２及び第２スリット１３以外の対向配置される第１スリット１２及び第２スリット１３に咬合する一対の第５スリット６ａが形成され、第１長辺仕切板２及び第２長辺仕切板３と組み合わされる１又は複数（本実施形態では１枚）の中央短辺仕切板６と、第１外側短辺仕切板４の下縁に連接され、上記箱体の底壁上で左右方向に配設される底板７とを備える。底板７には、第１長辺仕切板２、第２長辺仕切板３及び中央短辺仕切板６の少なくとも１つと係合可能に構成され、底板７に対して第１長辺仕切板２、第２長辺仕切板３及び中央短辺仕切板６の平面位置を固定可能な折り曲げ片１７が形成される。なお、図１、並びに後述の図５において、太い実線は段ボールシートを切断して形成されるエッジを示し、細い実線は段ボールシートの裏面（組立状態で箱体の内側に配置される側の面）に筋押しして形成される罫線を示す。
【００１８】
当該組仕切り１は、１枚の大判の段ボールシートの原紙からトムソン型を用いて切り出すことができる。図１は、段ボールシートの原紙から当該組仕切り１をトムソン型を用いて切り出す場合の各板の配置例を示している。そのため、図１では、第２長辺仕切板３、第１外側短辺仕切板４及び中央短辺仕切板６は、使用時と上下方向が逆転している。
【００１９】
当該組仕切り１に用いられる段ボールシートとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。また、この段ボールシートの中芯の稜線は、図２の仕切体１ａの座屈強度を高める観点から上下方向に配設されることが好ましい。
【００２０】
（第１長辺仕切板）
第１長辺仕切板２は、左右方向を長手方向とする略矩形状である。第１長辺仕切板２の左右方向長さは、当該仕切体１ａを収容する箱体の内部空間の長辺側の左右方向長さと略等しい。第１長辺仕切板２は、箱体内への収容が容易となるよう、両側縁の下端部が下方に向けて縮幅するよう構成されていてもよい。
【００２１】
複数の第１スリット１２は、第１長辺仕切板２を左右方向に略等分する位置に設けられている。本実施形態では、３つの第１スリット１２が、第１長辺仕切板２を左右方向に４等分する位置に形成されている。
【００２２】
複数の第１スリット１２を画定する左右方向一方側の側縁１２ａは、第１スリット１２の先端（上端）から下方に延びる直線部１２ｂと、この直線部１２ｂの下端に連続し、左右方向他方側に突出する突出部１２ｃとを有する。第１長辺仕切板２の下縁側には突出部１２ｃによって突起１２ｇが画定される。また、複数の第１スリット１２を画定する左右方向他方側の側縁１２ｄは、第１スリット１２の先端（上端）から下方に延びる直線部１２ｅと、この直線部１２ｅの下端に連続し、左右方向他方側に傾斜した傾斜部１２ｆとを有する。
【００２３】
第１スリット１２を画定する左右一対の直線部１２ｂ、１２ｅ間の間隔Ｄは、第１外側短辺仕切板４、第２外側短辺仕切板５及び中央短辺仕切板６と組み合わせできるよう当該組仕切り１を形成するシート材（段ボールシート）の厚さ以上とされている。また、上記間隔Ｄは、箱体収容前後に第１長辺仕切板２上に第１外側短辺仕切板４、第２外側短辺仕切板５及び中央短辺仕切板６を折り重ねることができるようシート材の厚さよりも大きいことが好ましい。シート材の厚さに対する上記間隔Ｄの比の下限としては、１．１が好ましく１．３がより好ましい。一方、シート材の厚さに対する上記間隔Ｄの比の上限としては、仕切体１ａにおける第１長辺仕切板２に対する第１外側短辺仕切板４、第２外側短辺仕切板５及び中央短辺仕切板６のぐらつきを抑制する観点から、１．７が好ましく、１．５がより好ましい。
【００２４】
第１スリット１２の長さとしては、第１長辺仕切板２の上下方向長さの略１／２とすることが好ましい。
【００２５】
（第２長辺仕切板）
第２長辺仕切板３は、左右方向を長手方向とする略矩形状である。第２長辺仕切板３は、第１長辺仕切板２と略同一形状に形成されている。
【００２６】
複数の第２スリット１３は、第２長辺仕切板３を左右方向に略等分する位置に設けられている。本実施形態では、３つの第２スリット１３が、第２長辺仕切板３を左右方向に４等分する位置に形成されている。複数の第２スリット１３を画定する左右方向一方側の側縁１３ａは、第２スリット１３の先端（上端）から下方に延びる直線部１３ｂと、この直線部１３ｂの下端に連続し、左右方向他方側に突出する突出部１３ｃとを有する。第２長辺仕切板３の下縁側には突出部１３ｃによって突起１３ｇが画定される。また、複数の第２スリット１３を画定する左右方向他方側の側縁１３ｄは、第２スリット１３の先端（上端）から下方に延びる直線部１３ｅと、この直線部１３ｅの下端に連続し、左右方向他方側に傾斜した傾斜部１３ｆとを有する。第２スリット１３の具体的形状としては、第１スリット１２と同様とすることができる。
【００２７】
（第１外側短辺仕切板）
第１外側短辺仕切板４は、第１長辺仕切板２及び第２長辺仕切板３と直交するよう第１長辺仕切板２及び第２長辺仕切板３と嵌合される。第１外側短辺仕切板４は、左右方向を長手方向とする略矩形状である。第１外側短辺仕切板４の左右方向長さは、当該仕切体１ａを収容する箱体の内部空間の短辺側の左右方向長さと略等しい。第１外側短辺仕切板４の上下方向長さは、第１長辺仕切板２の上下方向長さと略等しい。第１外側短辺仕切板４は、箱体内への収容が容易となるよう、両側縁の下端部が下方に向けて縮幅するよう構成されていてもよい。
【００２８】
第１外側短辺仕切板４は、上縁から下方に延びる一対の第３スリット１４ａと、一対の第３スリット１４ａの鉛直下方で、下縁から上方に形成される一対の切欠き１４ｂとを有する。一対の切欠き１４ｂは、仕切体１ａにおいて一対の突起１２ｇ，１３ｇに係合する。一対の第３スリット１４ａ及び一対の切欠き１４ｂは、第１外側短辺仕切板４を左右方向に３等分する位置に形成されている。
【００２９】
第３スリット１４ａは直線状に形成される。第３スリット１４ａの幅としては、上述の第１スリット１２を画定する左右一対の直線部１２ｂ、１２ｅ間の間隔Ｄと同様とすることができる。第３スリット１４ａの長さとしては、第１外側短辺仕切板４の上下方向長さの略１／２とすることが好ましい。
【００３０】
切欠き１４ｂは、上下方向を長手方向とする略矩形状である。切欠き１４ｂの幅Ｈは、突起１２ｇ，１３ｇの突出方向長さＬ以上であることが好ましい。切欠き１４ｂの幅Ｈが突起１２ｇ，１３ｇの突出方向長さＬ以上であることによって、第１長辺仕切板２及び第２長辺仕切板３に第１外側短辺仕切板４を折り重ねるよう仕切体１ａを折り畳んでいった場合に突起１２ｇ，１３ｇが切欠き１４ｂから抜けやすい。これにより、当該組仕切り１を全体として平板状に折り重ねることが容易であると共に、この折り重ね状態における突起１２ｇ，１３ｇの折り曲がりを抑制することができる。
【００３１】
突起１２ｇ，１３ｇの突出方向長さＬに対する切欠き１４ｂの幅Ｈの比（Ｈ／Ｌ）の下限としては、１．１が好ましく、１．２がより好ましい。一方、上記比（Ｈ／Ｌ）の上限としては、１．５が好ましく、１．３がより好ましい。上記比（Ｈ／Ｌ）が上記下限に満たないと、第１長辺仕切板２及び第２長辺仕切板３に第１外側短辺仕切板４を折り重ねるよう仕切体１ａを折り畳んでいった場合に突起１２ｇ，１３ｇが切欠き１４ｂから容易には抜け難くなるおそれがある。逆に、上記比（Ｈ／Ｌ）が上記上限を超えると、仕切体１ａにおいて第１外側短辺仕切板４が第１長辺仕切板２及び第２長辺仕切板３に対してぐらつきやすくなるおそれがある。
【００３２】
（第２外側短辺仕切板）
第２外側短辺仕切板５は、第１長辺仕切板２及び第２長辺仕切板３と直交するよう第１長辺仕切板２及び第２長辺仕切板３と嵌合される。第２外側短辺仕切板５は、左右方向を長手方向とする略矩形状である。第２外側短辺仕切板５は、第１外側短辺仕切板４と略同一形状に形成されている。
【００３３】
第２外側短辺仕切板５は、上縁から下方に延びる一対の第４スリット１５ａと、一対の第４スリット１５ａの鉛直下方で、下縁から上方に形成される一対の切欠き１５ｂとを有する。一対の切欠き１５ｂは、仕切体１ａにおいて一対の突起１２ｇ，１３ｇに係合する。一対の第４スリット１５ａ及び一対の切欠き１５ｂは、第２外側短辺仕切板５を左右方向に３等分する位置に形成されている。
【００３４】
第４スリット１５ａは直線状に形成される。第４スリット１５ａの幅としては、上述の第１スリット１２を画定する左右一対の直線部１２ｂ、１２ｅ間の間隔Ｄと同様とすることができる。第４スリット１５ａの長さとしては、第２外側短辺仕切板５の上下方向長さの略１／２とすることが好ましい。
【００３５】
切欠き１５ｂは、上下方向を長手方向とする略矩形状である。切欠き１５ｂの幅としては、第１外側短辺仕切板４に形成される上述の切欠き１４ｂの幅と同様とすることができる。
【００３６】
（中央短辺仕切板）
中央短辺仕切板６は、第１長辺仕切板２及び第２長辺仕切板３と直交するよう第１長辺仕切板２及び第２長辺仕切板３と嵌合される。中央短辺仕切板６は、左右方向を長手方向とする略矩形状である。中央短辺仕切板６は、第１外側短辺仕切板４と略同一形状に形成されている。
【００３７】
中央短辺仕切板６は、上縁から下方に延びる一対の第５スリット１６ａと、一対の第５スリット１６ａの鉛直下方で、下縁から上方に形成される一対の切欠き１６ｂとを有する。一対の切欠き１６ｂは、仕切体１ａにおいて一対の突起１２ｇ，１３ｇに係合する。一対の第５スリット１６ａ及び一対の切欠き１６ｂは、中央短辺仕切板６を左右方向に３等分する位置に形成されている。
【００３８】
第５スリット１６ａは直線状に形成される。第５スリット１６ａの幅としては、上述の第１スリット１２を画定する左右一対の直線部１２ｂ、１２ｅ間の間隔Ｄと同様とすることができる。第５スリット１６ａの長さとしては、中央短辺仕切板６の上下方向長さの略１／２とすることが好ましい。
【００３９】
切欠き１６ｂは、上下方向を長手方向とする略矩形状である。切欠き１６ｂの幅としては、第１外側短辺仕切板４に形成される上述の切欠き１４ｂの幅と同様とすることができる。
【００４０】
（底板）
底板７は、第１外側短辺仕切板４に対して略直角に折り曲げられ、仕切体１ａの底部を構成する。底板７は略矩形状である。底板７の幅は、第１外側短辺仕切板４の左右方向長さと略等しい。底板７の突出方向長さは、第１長辺仕切板２及び第２長辺仕切板３の左右方向の最外側に位置するスリット間の間隔（第１長辺仕切板２の両外の一対の第１スリット１２間の間隔、及び第２長辺仕切板３の両外の一対の第２スリット１３間の間隔）と略等しい。これにより、底板７は、仕切体１ａにおいて第１外側短辺仕切板４及び第２外側短辺仕切板５の下縁間に架け渡されるように配設される。底板７は、箱体内への収容が容易となるよう、両側縁が突出方向外側（先端側及び基端側）に向けて縮幅するよう構成されていてもよい。
【００４１】
底板７は、第１外側短辺仕切板４の一対の切欠き１４ｂ間の領域で第１外側短辺仕切板４と連接されている。換言すると、第１外側短辺仕切板４の一対の切欠き１４の外側の領域では、底板７及び第１外側短辺仕切板４は切断されている。
【００４２】
折り曲げ片１７は、底板７の先端側の中央部に形成されている。折り曲げ片１７は、底板７の先端縁から基端側に延びる一対の切断線１７ａと、一対の切断線１７ａの端部（底板７の基端側の端部）同士を接続し、底板７の先端縁と平行な折り曲げ容易線１７ｂとによって画定される。折り曲げ片１７は略矩形状である。折り曲げ片１７は、一対の切断線１７ａによって画定される一対の側縁を有する。
【００４３】
図２及び図３に示すように、折り曲げ片１７は直立状態で中央短辺仕切板６に折り重ねられる。また図３に示すように、上記一対の側縁は、第１長辺仕切板２及び第２長辺仕切板３の対向面に当接する。折り曲げ片１７の基端縁（つまり折り曲げ容易線１７ｂ）の長さは第１外側短辺仕切板４、第２外側短辺仕切板５及び中央短辺仕切板６のスリット１４ａ〜１６ａ間の間隔より大きい。また、折り曲げ片１７は、上記一対の側縁の中央部が対向方向外側に僅かに拡幅している。これにより、当該組仕切り１は、底板７に対する第１長辺仕切板２及び第２長辺仕切板３の対向方向へのぐらつきが容易に防止される。その結果、当該組仕切り１は、底板７に対して第１長辺仕切板２、第２長辺仕切板３及び中央短辺仕切板６の平面位置を容易に固定することができる。
【００４４】
次に、図４を参照して当該仕切体１ａの組立手順の一例について説明する。まず、第１長辺仕切板２及び第２長辺仕切板３を対向配置する。次に、第２外側短辺仕切板５を第１長辺仕切板２及び第２長辺仕切板３に対して平面視で直交するよう配置し、第１長辺仕切板２の左右方向他方の最外側に位置する第１スリット１２及び第２長辺仕切板３の左右方向他方の最外側に位置する第２スリット１３に第２外側短辺仕切板５の一対の第４スリット１５ａを咬合させる。この際、第１長辺仕切板２及び第２長辺仕切板３の突起１２ｇ，１３ｇが第２外側短辺仕切板５の一対の切欠き１５ｂに係合することで、直立状態における第２外側短辺仕切板５の第１長辺仕切板２及び第２長辺仕切板３からの脱落が防止される。
【００４５】
続いて、中央短辺仕切板６を第１長辺仕切板２及び第２長辺仕切板３に対して平面視で直交するよう配置し、第１長辺仕切板２の左右方向中央に位置する第１スリット１２及び第２長辺仕切板３の左右方向他方中央に位置する第２スリット１３に中央短辺仕切板６の一対の第５スリット１６ａを咬合させる。この際、第１長辺仕切板２及び第２長辺仕切板３の突起１２ｇ，１３ｇが中央短辺仕切板６の一対の切欠き１６ｂに係合することで、直立状態における中央短辺仕切板６の第１長辺仕切板２及び第２長辺仕切板３からの脱落が防止される。
【００４６】
次に、第１外側短辺仕切板４を第１長辺仕切板２及び第２長辺仕切板３に対して平面視で直交するよう配置し、第１長辺仕切板２の左右方向一方の最外側に位置する第１スリット１２及び第２長辺仕切板３の左右方向一方の最外側に位置する第２スリット１３に第１外側短辺仕切板４の一対の第３スリット１４ａを咬合させる。この際、第１長辺仕切板２及び第２長辺仕切板３の突起１２ｇ，１３ｇが第１外側短辺仕切板４の一対の切欠き１４ｂに係合することで、直立状態における第１外側短辺仕切板４の第１長辺仕切板２及び第２長辺仕切板３からの脱落が防止される。
【００４７】
さらに、底板７を、第１長辺仕切板２、第２長辺仕切板３及び中央短辺仕切板６の下縁に当接するよう第１外側短辺仕切板４に対して略直角に折り曲げる。続いて、折り曲げ片１７を中央短辺仕切板６に折り重ねられるよう垂直に折り曲げる。これにより、折り曲げ片１７の一対の側縁が第１長辺仕切板２及び第２長辺仕切板３の対向面に当接し、底板７に対する第１長辺仕切板２、第２長辺仕切板３及び中央短辺仕切板６のぐらつきが防止される。
【００４８】
＜利点＞
当該組仕切り１は、第１外側短辺仕切板４の下縁に連接され、箱体の底壁上で左右方向に配設される底板７を備えており、この底板７に設けられる折り曲げ片１７を第１長辺仕切板２、第２長辺仕切板３及び中央仕切板６の少なくとも１つに係合させることで、底板７に対して第１長辺仕切板２、第２長辺仕切板３及び中央短辺仕切板６の平面位置を固定することができる。そのため、当該組仕切り１は、左右方向に負荷が加えられた場合でも、仕切板の全体形状が変形し難い。従って、当該組仕切り１は、複数の物品を側方から十分に保護しつつ、これらの物品を行列状に配列することができる。
【００４９】
［第二実施形態］
＜組仕切り＞
図５の組仕切り２１は段ボールシートから形成される。当該組仕切り２１は、図６に示す組立状態（仕切体２１ａ）で箱体内に配置され、この箱体の内部空間を区分する。
【００５０】
当該組仕切り２１は、下縁から上方に延びる複数の第１スリット３２ａが形成された第１長辺仕切板２２と、第１長辺仕切板２２と間隔を空けて対向配置され、複数の第１スリット３２ａに対向する位置に、下縁から上方に延びる複数の第２スリット３３ａが形成された第２長辺仕切板２３と、上縁から下方に延び、第１長辺仕切板２２及び第２長辺仕切板２３の左右方向一方の最外側に位置する第１スリット３２ａ及び第２スリット３３ａに咬合する一対の第３スリット３４が形成され、第１長辺仕切板２２及び第２長辺仕切板２３と組み合わされる第１外側短辺仕切板２４と、上縁から下方に延び、第１長辺仕切板２２及び第２長辺仕切板２３の左右方向他方の最外側に位置する第１スリット３２ａ及び第２スリット３３ａに咬合する一対の第４スリット３５が形成され、第１長辺仕切板２２及び第２長辺仕切板２３と組み合わされる第２外側短辺仕切板２５と、上縁から下方に延び、最外側に位置する第１スリット３２ａ及び第２スリット３３ａ以外の対向配置される第１スリット３２ａ及び第２スリット３３ａに咬合する一対の第５スリット３６が形成され、第１長辺仕切板２２及び第２長辺仕切板２３と組み合わされる１又は複数（本実施形態では１枚）の中央短辺仕切板２６と、第１外側短辺仕切板２４の下縁に連接され、上記箱体の底壁上で左右方向に配設される底板２７とを備える。底板２７は、第２外側短辺仕切板２５の下縁にも連接されている。当該組仕切り２１は、底板２７が第１外側短辺仕切板２４に加え、第２外側短辺仕切板２５の下縁にも連接されていることによって、底板２７自体の左右方向の歪み、ねじれ等を容易に抑制し、複数の物品をより適切に行列状に配列することができる。底板２７には、第１長辺仕切板２２、第２長辺仕切板２３及び中央短辺仕切板２６の少なくとも１つと係合可能に構成され、底板２７に対して第１長辺仕切板２２、第２長辺仕切板２３及び中央短辺仕切板２６の平面位置を固定可能な一対の折り曲げ片３７が形成される。
【００５１】
当該組仕切り２１は、１枚の大判の段ボールシートの原紙からトムソン型を用いて切り出すことができる。図５は、段ボールシートの原紙から当該組仕切り２１をトムソン型を用いて切り出す場合の各板の配置例を示している。そのため、図５では、第２長辺仕切板２３、第１外側短辺仕切板２４及び中央短辺仕切板２６は、使用時と上下方向が逆転している。
【００５２】
当該組仕切り２１に用いられる段ボールシートとしては、図１の組仕切り１と同様のものが挙げられる。また、当該組仕切り２１では、段ボールシートの中芯の稜線は、図６の仕切体２１ａの座屈強度を高める観点から上下方向に配設されることが好ましい。
【００５３】
（第１長辺仕切板）
第１長辺仕切板２２は、左右方向を長手方向とする略矩形状である。第１長辺仕切板２２の左右方向長さは、当該仕切体２１ａを収容する箱体の内部空間の長辺側の左右方向長さと略等しい。第１長辺仕切板２２は、箱体内への収容が容易となるよう、両側縁の下端部が下方に向けて縮幅するよう構成されていてもよい。
【００５４】
第１長辺仕切板２２は、下縁から上方に延びる複数（本実施形態では３つ）の第１スリット３２ａと、複数の第１スリット３２ａの鉛直上方で、上縁から下方に形成される複数の切欠き３２ｂとを有する。複数の第１スリット３２ａ及び複数の切欠き３２ｂは、第１長辺仕切板２２を左右方向に４等分する位置に形成されている。また、第１長辺仕切板２２は、図６及び図８に示すように、平面視で後述の第１折り曲げ容易線３９と重なり合う位置に上下方向に横断する第２折り曲げ容易線３２ｃを有する。
【００５５】
第１スリット３２ａは直線状に形成される。第１スリット３２ａの幅は、第１外側短辺仕切板２４、第２外側短辺仕切板２５及び中央短辺仕切板２６と組み合わせできるよう当該組仕切り２１を形成するシート材の厚さ以上とされている。また、第１スリット３２ａの幅は、箱体収容前後に第１長辺仕切板２２上に第１外側短辺仕切板２４、第２外側短辺仕切板２５及び中央短辺仕切板２６を折り重ねることができるようシート材の厚さよりも大きいことが好ましい。シート材の厚さに対する上記幅の比の下限としては、１．１が好ましく１．３がより好ましい。一方、シート材の厚さに対する上記幅の比の上限としては、仕切体２１ａにおける第１長辺仕切板２２に対する第１外側短辺仕切板２４、第２外側短辺仕切板２５及び中央短辺仕切板２６のぐらつきを抑制する観点から、１．７が好ましく、１．５がより好ましい。
【００５６】
第１スリット３２ａの長さとしては、第１長辺仕切板２２の上下方向長さの略１／２とすることが好ましい。
【００５７】
切欠き３２ｂは、上下方向を長手方向とする略矩形状である。切欠き３２ｂの幅は、後述する突起３４ｇ，３５ｇ，３６ｇの突出方向長さ以上であることが好ましい。切欠き３２ｂの幅が突起３４ｇ，３５ｇ，３６ｇの突出方向長さ以上であることによって、第１長辺仕切板２２に第１外側短辺仕切板２４、第２外側短辺仕切板２５及び中央短辺仕切板２６を折り重ねるよう仕切体１ａを折り畳んでいった場合に突起３４ｇ，３５ｇ，３６ｇが切欠き２３ｂから抜けやすい。これにより、当該組仕切り２１を全体として平板状に折り重ねることが容易であると共に、この折り重ね状態における突起３４ｇ，３５ｇ，３６ｇの折り曲がりを抑制することができる。
【００５８】
（第２長辺仕切板）
第２長辺仕切板２３は、左右方向を長手方向とする略矩形状である。第２長辺仕切板２３は、第１長辺仕切板２２と略同一形状に形成されている。
【００５９】
第２長辺仕切板２３は、下縁から上方に延びる複数（本実施形態では３つ）の第２スリット３３ａと、複数の第２スリット３３ａの鉛直上方で、上縁から下方に形成される複数の切欠き３３ｂとを有する。複数の第２スリット３３ａ及び複数の切欠き３３ｂは、第２長辺仕切板２３を左右方向に４等分する位置に形成されている。また、第２長辺仕切板２３は、図６及び図８に示すように、平面視で後述の第１折り曲げ容易線３９と重なり合う位置に上下方向に横断する第２折り曲げ容易線３３ｃを有する。
【００６０】
第２スリット３３ａは直線状に形成される。第２スリット３３ａの幅としては、上述の第１スリット３２ａの幅と同様とすることができる。第２スリット３３ａの長さとしては、第２長辺仕切板２３の上下方向長さの略１／２とすることが好ましい。
【００６１】
切欠き３３ｂは、上下方向を長手方向とする略矩形状である。切欠き３３ｂの幅としては、第１長辺仕切板２２に形成される上述の切欠き３２ｂの幅と同様とすることができる。
【００６２】
（第１外側短辺仕切板）
第１外側短辺仕切板２４は、第１長辺仕切板２２及び第２長辺仕切板２３と直交するよう第１長辺仕切板２２及び第２長辺仕切板２３と嵌合される。第１外側短辺仕切板２４は、左右方向を長手方向とする略矩形状である。第１外側短辺仕切板２４の左右方向長さは、当該仕切体２１ａを収容する箱体の内部空間の短辺側の左右方向長さと略等しい。第１外側短辺仕切板２４の上下方向長さは、第１長辺仕切板２２の上下方向長さと略等しい。第１外側短辺仕切板２４は、箱体内への収容が容易となるよう、両側縁の下端部が下方に向けて縮幅するよう構成されていてもよい。
【００６３】
一対の第３スリット３４は、第１外側短辺仕切板２４を左右方向に３等分する位置に形成されている。
【００６４】
一対の第３スリット３４を画定する左右方向一方側の側縁３４ａは、第３スリット３４の先端（下端）から上方に延びる直線部３４ｂと、この直線部３４ｂの上端に連続し、左右方向他方側に突出する突出部３４ｃとを有する。第１外側短辺仕切板２４の上縁側には突出部３４ｃによって突起３４ｇが画定される。また、一対の第３スリット３４を画定する左右方向他方側の側縁３４ｄは、第３スリット３４の先端（下端）から上方に延びる直線部３４ｅと、この直線部３４ｅの上端に連続し、左右方向他方側に傾斜した傾斜部３４ｆとを有する。
【００６５】
第３スリット３４を画定する左右一対の直線部３４ｂ，３４ｅ間の間隔としては、上述の第１スリット３２ａの幅と同様とすることができる。第３スリット３４の長さとしては、第１外側短辺仕切板２４の上下方向長さの略１／２とすることが好ましい。
【００６６】
（第２外側短辺仕切板）
第２外側短辺仕切板２５は、第１長辺仕切板２２及び第２長辺仕切板２３と直交するよう第１長辺仕切板２２及び第２長辺仕切板２３と嵌合される。第２外側短辺仕切板２５は、左右方向を長手方向とする略矩形状である。第２外側短辺仕切板２５は、第１外側短辺仕切板２４と略同一形状に形成されている。
【００６７】
一対の第４スリット３５は、第２外側短辺仕切板２５を左右方向に３等分する位置に形成されている。一対の第４スリット３５を画定する左右方向一方側の側縁３５ａは、第４スリット３５の先端（下端）から上方に延びる直線部３５ｂと、この直線部３５ｂの上端に連続し、左右方向他方側に突出する突出部３５ｃとを有する。第２外側短辺仕切板２５の上縁側には突出部３５ｃによって突起３５ｇが画定される。また、一対の第４スリット３５を画定する左右方向他方側の側縁３５ｄは、第４スリット３５の先端（下端）から上方に延びる直線部３５ｅと、この直線部３５ｅの上端に連続し、左右方向他方側に傾斜した傾斜部３５ｆとを有する。第４スリット３５の具体的形状としては、第３スリット３４と同様とすることができる。
【００６８】
（中央短辺仕切板）
中央短辺仕切板２６は、第１長辺仕切板２２及び第２長辺仕切板２３と直交するよう第１長辺仕切板２２及び第２長辺仕切板２３と嵌合される。中央短辺仕切板２６は、左右方向を長手方向とする略矩形状である。中央短辺仕切板２６は、第１外側短辺仕切板２４と略同一形状に形成されている。
【００６９】
中央短辺仕切板２６は、上縁から下方に延びる一対の第５スリット３６と、一対の第５スリット３６の下方で、下縁から上方に形成される一対の切欠き３８とを有する。一対の第５スリット３６及び一対の切欠き３８は、中央短辺仕切板２６を左右方向に略３等分する位置に形成されている。
【００７０】
一対の第５スリット３６を画定する左右方向一方側の側縁３６ａは、第５スリット３６の先端（下端）から上方に延びる直線部３６ｂと、この直線部３６ｂの上端に連続し、左右方向他方側に突出する突出部３６ｃとを有する。中央短辺仕切板２６の上縁側には突出部３６ｃによって突起３６ｇが画定される。また、一対の第５スリット３６を画定する左右方向他方側の側縁３６ｄは、第５スリット３６の先端（下端）から上方に延びる直線部３６ｅと、この直線部３６ｅの上端に連続し、左右方向他方側に傾斜した傾斜部３６ｆとを有する。第５スリット３６の具体的形状としては、第３スリット３４と同様とすることができる。
【００７１】
一対の切欠き３８は、一対の第５スリット３６の略鉛直下方に上端部が位置するよう形成される。一対の切欠き３８は、その上端が一対の第５スリット３６の略鉛直下方に位置する扇状の本体と、この本体の上端から上方に突出し、底板２７の折り曲げ片３７が係合する突出部とを有する。
【００７２】
（底板）
底板２７は、第１外側短辺仕切板２４及び第２外側短辺仕切板２５に対して略直角に折り曲げられ、仕切体２１ａの底部を構成する。底板２７は略矩形状である。底板２７は、仕切体２１ａにおいて第１外側短辺仕切板２４及び第２外側短辺仕切板２５の下縁間に架け渡されるように配設される。底板２７の幅（第１外側短辺仕切板２４及び第２外側短辺仕切板２５との連接方向と垂直方向の長さ）は、第１外側短辺仕切板２４及び第２外側短辺仕切板２５の下縁の左右方向長さと略等しい。
【００７３】
底板２７は、第１外側短辺仕切板２４及び第２外側短辺仕切板２５と連接される一対の側縁間の中心位置に、この一対の側縁と平行な第１折り曲げ容易線３９を有する。
【００７４】
底板２７は、第１外側短辺仕切板２４及び第２外側短辺仕切板２５との連接方向の中心部に一対の折り曲げ片３７を有する。一対の折り曲げ片３７は、対向方向内側（底板２７の幅方向内側）に突出した凸状である。一対の折り曲げ片３７は、アーチ状の切断線３７ａと、切断線３７ａの両端間を接続する折り曲げ容易線３７ｂとによって画定される。折り曲げ容易線３７ｂは、平面視で中央短辺仕切板２６に形成される切欠き３８の突出部の鉛直下方に位置するよう設けられる。また、折り曲げ片３７の突出高さは、切欠き３８の突出部の深さと略等しい。これにより、図７に示すように、折り曲げ片３７は、直立状態で切欠き３８の上端部に係合する。当該組仕切り２１は、中央短辺仕切板２６の下縁に、第５スリット３６の下方に上端部が位置する切欠き３８が形成され、折り曲げ片３７が、直立状態で切欠き３８の上端部に係合するので、底板２７に対して第１長辺仕切板２２、第２長辺仕切板２３及び中央短辺仕切板２６の平面位置を容易に固定することができる。
【００７５】
次に、図８を参照して当該仕切体２１ａの組立手順の一例について説明する。まず、第１長辺仕切板２２及び第２長辺仕切板２３を対向配置する。次に、中央短辺仕切板２６を第１長辺仕切板２２及び第２長辺仕切板２３に対して平面視で直交するよう配置し、第１長辺仕切板２２の左右方向中央に位置する第１スリット３２ａ及び第２長辺仕切板３の左右方向中央に位置する第２スリット３３ａに中央短辺仕切板２６の一対の第５スリット３６を咬合させる。この際、中央短辺仕切板２６の突起３６ｇが第１長辺仕切板２２及び第２長辺仕切板２３の切欠き３２ｂ，３３ｂに係合することで、直立状態における中央短辺仕切板２６の第１長辺仕切板２２及び第２長辺仕切板２３からの脱落が防止される。
【００７６】
続いて、第１外側短辺仕切板２４及び第２外側短辺仕切板２５を底板２７に対して略直角に折り曲げたうえ、第１外側短辺仕切板２４及び第２外側短辺仕切板２５を第１長辺仕切板２２及び第２長辺仕切板２３に対して平面視で直交するよう配置する。さらに、第１長辺仕切板２２の左右方向一方の最外側に位置する第１スリット３２ａ及び第２長辺仕切板２３の左右方向一方の最外側に位置する第２スリット３３ａに第１外側短辺仕切板２４の一対の第３スリット３４を咬合させ、第１長辺仕切板２２の左右方向他方の最外側に位置する第１スリット３２ａ及び第２長辺仕切板２３の左右方向他方の最外側に位置する第２スリット３３ａに第２外側短辺仕切板２５の一対の第４スリット３５を咬合させる。この際、第１外側短辺仕切板２４の突起３４ｇ及び第２外側短辺仕切板２５の突起３５ｇが第１長辺仕切板２２及び第２長辺仕切板２３の切欠き３２ｂ，３３ｂに係合することで、直立状態における第１外側短辺仕切板２４及び第２外側短辺仕切板２５の第１長辺仕切板２２及び第２長辺仕切板２３からの脱落が防止される。
【００７７】
なお、当該組仕切り２１は、この状態で、第１長辺仕切板２２及び第２長辺仕切板２３の第２折り曲げ容易線３２ｃ，３３ｃを同じ方向に折り曲げ、かつ底板２７の第１折り曲げ容易線３９を下方に凸になるように折り曲げることで、全体として平板状に容易に折り畳むことができ、当該組仕切り２１の取扱性を高めることができる。
【００７８】
次に、底板２７の一対の折り曲げ片３７を上方に略直角に折り曲げ、一対の折り曲げ片３７を中央短辺仕切板２６に形成される一対の切欠き３８に係合する。これにより、底板２７に対する第１長辺仕切板２２、第２長辺仕切板２３及び中央短辺仕切板２６のぐらつきが防止される。
【００７９】
＜利点＞
当該組仕切り２１は、図１の組仕切り１と同様、複数の物品を側方から十分に保護しつつ、これらの物品を行列状に配列することができる。
【００８０】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００８１】
例えば上記実施形態では、１つの中央短辺仕切板のみを有する構成について説明したが、当該組仕切りは必要に応じて２以上の中央短辺仕切板を備えていてもよい。また、当該組仕切りは、第１長辺仕切板及び第２長辺仕切板以外の長辺仕切板をさらに備えていてもよい。
【００８２】
当該組仕切りにおける第１スリット乃至第５スリットの具体的構成は上述の実施形態の構成に限定されるものではない。また、当該組仕切りは、例えば第二実施形態のスリット及び切欠きの構成を第一実施形態に適用してもよく、第一実施形態のスリット及び切欠きの構成を第二実施形態に適用してもよい。
【００８３】
当該組仕切りは、平板状に折り畳む必要がない場合等には、上記第二実施形態の構成において上述の第１折り曲げ容易線及び第２折り曲げ容易線が形成されていなくてもよい。
【産業上の利用可能性】
【００８４】
以上のように、本考案の組仕切りは、複数の物品を側方から十分に保護しつつ、これらの物品を行列状に配列するのに適している。
【符号の説明】
【００８５】
１，２１  組仕切り
１ａ，２１ａ  仕切体
２，２２  第１長辺仕切板
３，２３  第２長辺仕切板
４，２４  第１外側短辺仕切板
５，２５  第２外側短辺仕切板
６，２６  中央短辺仕切板
７，２７  底板
１２，３２ａ  第１スリット
１３，３３ａ  第２スリット
１２ａ，１２ｄ，１３ａ，１３ｄ，３４ａ，３４ｄ，３５ａ，３５ｄ，３６ａ，３６ｄ  側縁
１２ｂ，１２ｅ，１３ｂ，１３ｅ，３４ｂ，３４ｅ，３５ｂ，３５ｅ，３６ｂ，３６ｅ  直線部
１２ｃ，１３ｃ，３４ｃ，３５ｃ，３６ｃ  突出部
１２ｆ，１３ｆ，３４ｆ，３５ｆ，３６ｆ  傾斜部
１２ｇ，１３ｇ，３４ｇ，３５ｇ，３６ｇ  突起
１４ａ，３４  第３スリット
１４ｂ，１５ｂ，１６ｂ，３２ｂ，３３ｂ，３８  切欠き
１５ａ，３５  第４スリット
１６ａ，３６  第５スリット
１７，３７  折り曲げ片
１７ａ，３７ａ  切断線
１７ｂ，３７ｂ  折り曲げ容易線
３２ｃ，３３ｃ  第２折り曲げ容易線
３９  第１折り曲げ容易線
【図１】
0003220014.tif 000003
【図２】
0003220014.tif 000004
【図３】
0003220014.tif 000005
【図４】
0003220014.tif 000006
【図５】
0003220014.tif 000007
【図６】
0003220014.tif 000008
【図７】
0003220014.tif 000009
【図８】
0003220014.tif 000010